(57)【要約】【課題】ブラシ毛材に塗布液の溜まりを残すことで、塗布対象毛に対して十分に多量の塗布液を塗布できる。【解決手段】芯材２に植毛されたブラシ毛材３によって塗布対象毛に塗布液を塗布する液塗布具１であり、ブラシ毛材３は複数スパイラルの芯材２に植毛され、一方スパイラルにあるブラシ毛材３aと他方スパイラルにあるブラシ毛材3bが略同じ長さで、互いに対向させたブラシ混合部30を有する。また、一方スパイラルにあるブラシ毛材３aと他方スパイラルにあるブラシ毛材3bが異なる長さで、互いに対向させたブラシ混合部30を有する。【選択図】図1
2008295778.tif 000002
【特許請求の範囲】
【請求項１】
芯材に植毛されたブラシ毛材によって塗布対象毛に塗布液を塗布する液塗布具であり、
前記ブラシ毛材は複数スパイラルの芯材に植毛され、
一方スパイラルにあるブラシ毛材と他方スパイラルにあるブラシ毛材が略同じ長さで、互いに対向させたブラシ混合部を有することを特徴とする液塗布具。
【請求項２】
芯材に植毛されたブラシ毛材によって塗布対象毛に塗布液を塗布する液塗布具であり、
前記ブラシ毛材は複数スパイラルの芯材に植毛され、
一方スパイラルにあるブラシ毛材と他方スパイラルにあるブラシ毛材が異なる長さで、互いに対向させたブラシ混合部を有することを特徴とする液塗布具。
【発明の詳細な説明】
【技術分野】
【０００１】
この発明は、液塗布具に関し、特にマスカラブラシや毛染め用ブラシのように塗布対象毛にマスカラや毛染め液などの塗布液を塗布する場合に適用して好適な液塗布具に関する。
【背景技術】
【０００２】
従来、この種の液塗布具として、例えばマスカラブラシとして、特許文献１に開示されているように、ブラシに付着させたマスカラを、まつ毛に塗布するものが用いられている。このマスカラブラシとしての液塗布具１００は、図２０に示すように、塗布液容器１０２の取出口１０３から、キャップ１０４に固着されたシャフト１０５の先端に設けられたブラシ本体１０６を出し入れすることにより、ブラシ本体１０６のブラシ毛材１０６aを塗布液としてのマスカラに浸して外部に取り出すようになっている。
【０００３】
取出口１０３の内側には、柔軟性をもったゴム材でなる円筒状のしごき部材１０７が設けられ、ブラシ本体１０６を取出口１０３から引き抜くときに、ブラシ本体１０６の周囲に付着している余分な塗布液を、小さい内径を有するしごき部材１０７によってしごき落とすことにより、外部に取り出したブラシ本体１０６やシャフト１０５から塗布液をぼた落ちさせないように構成されている。
【０００４】
この図２０の構成によれば、ブラシ毛材１０６aは、しごき部材１０７を通るとき一旦一斉に倒れるが、しごき部材１０７を通過した後は、その復元力によって起立するので、塗布液は当該起立したブラシ毛材１０６aの周囲に塗布液が付着したまま残る。
【０００５】
しかしながら、このブラシ毛材１０６aの表面に付着した塗布液は少量なので、まつ毛に塗布できる塗布液の量が不足するため、使用者は５回、６回と塗布操作を繰り返えさないと、まつ毛に濃い塗布液を塗布できない結果になる。
【特許文献１】特開平５−２２８０１８号公報
【発明の開示】
【発明が解決しようとする課題】
【０００６】
ところで、近年まつ毛にマスカラ液を多量に塗布する傾向にあり、特に、若年層は１本ずつ濃くというより２本から５本のまつ毛が束になってマスカラ液で固まっている形態を求めるようになってきた。ところが、特許文献１のような一般のマスカラブラシは、線材を折り曲げて形成した２本間の芯材にブラシ毛材を挟み、この芯材を捻じることでブラシ毛材が中心の芯材より略直角に放射状となっており、ブラシ毛材にマスカラ液の溜まりがないため、まつ毛が複数本の束にならないことがある。
【０００７】
この発明は、以上の点を考慮してなされたもので、ブラシ毛材に塗布液の溜まりを残すことで、塗布対象毛に対して十分に多量の塗布液を塗布できるようにした液塗布具を提供することを目的としている。
【課題を解決するための手段】
【０００８】
前記課題を解決し、かつ目的を達成するために、この発明は、以下のように構成した。請求項１に記載の発明は、芯材に植毛されたブラシ毛材によって塗布対象毛に塗布液を塗布する液塗布具であり、
前記ブラシ毛材は複数スパイラルの芯材に植毛され、  一方スパイラルにあるブラシ毛材と他方スパイラルにあるブラシ毛材が略同じ長さで、互いに対向させたブラシ混合部を有することを特徴とする液塗布具である。
【０００９】
請求項２に記載の発明は、芯材に植毛されたブラシ毛材によって塗布対象毛に塗布液を塗布する液塗布具であり、
前記ブラシ毛材は複数スパイラルの芯材に植毛され、
一方スパイラルにあるブラシ毛材と他方スパイラルにあるブラシ毛材が異なる長さで、互いに対向させたブラシ混合部を有することを特徴とする液塗布具である。
【発明の効果】
【００１０】
前記構成により、この発明は、以下のような効果を有する。
【００１１】
請求項１に記載の発明では、一方スパイラルにあるブラシ毛材と他方スパイラルにあるブラシ毛材が略同じ長さで、互いに対向させたブラシ混合部を有することで、塗布液容器から液塗布具を引き出すときにしごき残された塗布液を、ブラシ混合部、及びブラシ混合部とブラシ混合部の溝に多量に保持でき、塗布するときには塗布液の多くはまつ毛に残り、この残り塗布液が多いためにまつ毛が塗布液によって集束される結果となり、多量の塗布液を塗布対象毛に塗布できる。
【００１２】
請求項２に記載の発明では、一方スパイラルにあるブラシ毛材と他方スパイラルにあるブラシ毛材が異なる長さで、互いに対向させたブラシ混合部を有することで、塗布液容器から液塗布具を引き出すときにしごき残された塗布液を、ブラシ混合部、及びブラシ混合部とブラシ混合部の溝に多量に保持でき、塗布するときには塗布液の多くはまつ毛に残り、この残り塗布液が多いためにまつ毛が塗布液によって集束される結果となり、多量の塗布液を塗布対象毛に塗布できる。
【発明を実施するための最良の形態】
【００１３】
以下、この発明の液塗布具の実施の形態について説明する。この発明の実施の形態は、発明の最も好ましい形態を示すものであり、この発明はこれに限定されない。
[第１の実施の形態]
この第１の実施の形態の液塗布具１を、図１に基づいて説明する。この実施の形態の液塗布具１は、キャップ４に芯材2が取り付けられ、この芯材2に植毛されたブラシ毛材３によって塗布対象毛に塗布液を塗布するものである。ブラシ毛材３は２条スパイラルに芯材２に植毛され、一方スパイラルにあるブラシ毛材３aと他方スパイラルにあるブラシ毛材3bが同じ長さで、かつ先端を近接、若しくは接触させるように互いに対向させたブラシ混合部３０を有する。芯材２は、１本の線材を中央部で折曲げて形成し、保持芯部２a,2bを有するものであるが、一対の別々の線材でもよい。ブラシ毛材３は、繊維材料などで形成される。
【００１４】
この第１の実施の形態の液塗布具１の製造を、図２に基づいて説明する。この実施の形態の液塗布具１を製造するには、図２(a),(b)に示すように、所定の長さに裁断した同じ長さの多数のブラシ毛材３を、毛先をおおむね揃えた状態で並列に整列させ、ブラシ毛の長さのほぼ中央部を芯材２の保持芯部２a,2bの間に通し、保持芯部２a,2bに対して多数のブラシ毛材３を所定角度θ１傾斜させて挟持する。この多数のブラシ毛材３を傾斜させる所定角度θ１は、特に限定されないが対向させる一方スパイラルにあるブラシ毛材3aと他方スパイラルにあるブラシ毛材3bの傾斜角度を決定する。
【００１５】
そして、図２（c）に示すように、芯材２の保持芯部２a,2ｂの両端部もって、例えば左方向に所定回数回転させて捩り合わせると、芯材２の保持芯部２a,2bの形成する螺旋パターンに従って、ブラシ毛材３は２条スパイラルに芯材２の保持芯部２a,2bに植毛される。すなわち、芯材２の保持芯部２a,2ｂが１回転する部分の複数本のブラシ毛材３は、図２（a）に示すように、A〜Iの区分に区分けされ、図２（a）において芯材２の保持芯部２a,2ｂより右側に位置する部分が上向きの一方スパイラルにあるブラシ毛材3aを形成し、芯材２の保持芯部２a,2ｂより左側に位置する部分が下向きの他方スパイラルにあるブラシ毛材3ｂを形成することになる。
【００１６】
このブラシ毛材３は、芯材２の保持芯部２a,2ｂより右側に位置する部分と、左側に位置する部分が同じ長さであるために、一方スパイラルにあるブラシ毛材３aと他方スパイラルにあるブラシ毛材3bの先端が近接、若しくは接触させるように互いに対向するブラシ混合部３０を形成している。
【００１７】
この一方スパイラルにあるブラシ毛材３aと他方スパイラルにあるブラシ毛材3bの先端が近接、若しくは接触するような長さに予め形成したブラシ毛材３を用いても良いが、ブラシ混合部３０を形成して毛先を剪定して所要の形状に外形を整えるようにしてもよい。
【００１８】
この一方スパイラルにあるブラシ毛材３aと他方スパイラルにあるブラシ毛材3bによるブラシ毛のブラシ混合部３０が山形状になり、熱や圧力とか二次的な加工をするのではなくブラシ造りの戻りだけでブラシ混合部３０が山形状になるのであるから従来ブラシ製作の工程だけで通常のマスカラブラシ価格で製造であるという利点がある。
【００１９】
また、第１の実施の形態においては、図３に示すように、液塗布具１が略直線状に形成される場合は、図３の展開図に示すように、芯材２の保持芯部２a,2bの形成する螺旋パターンに従って、芯材２の保持芯部２a,2bに一方スパイラルにあるブラシ毛材3aと、他方スパイラルにあるブラシ毛材3ｂが植毛され、ブラシ混合部３０と、ブラシ混合部３０とブラシ混合部３０の間の溝３１が形成される。
【００２０】
また、第１の実施の形態において、図４に示すように、液塗布具１が略曲線状に形成されることがあり、この場合の液塗布具１は、図４の展開図に示すように、芯材２の保持芯部２a,2bの形成する螺旋パターンに従って、芯材２の保持芯部２a,2bに一方スパイラルにあるブラシ毛材3aと、他方スパイラルにあるブラシ毛材3ｂが植毛され、ブラシ混合部３０と、ブラシ混合部３０とブラシ混合部３０の間の溝３１が形成される。
【００２１】
この第１の実施の形態の液塗布具１の使用を、図５及び図６に基づいて説明する。この実施の形態の液塗布具１を、マスカラ用ブラシとして使用する場合には、図２０に示すように塗布液容器から液塗布具を引き出すときに、図５に示すように、塗布液９０が、ブラシ混合部３０、及びブラシ混合部３０とブラシ混合部３０の間の溝３１に多量に保持できる。すなわち、液塗布具１のしごき落後は、塗布液９０が液残留として毛のないブラシ混合部３０とブラシ混合部３０の間の溝３１の部分にも残る。この塗布液９０をしごき落後のブラシ内液として何に多く残すかが問題であるが、それは保持芯部２a,2bの螺旋パターンによる溝幅が広がり、ブラシ混合部３０とブラシ混合部３０の間の溝３１にしごき落後の残液が多く残ることになる。
【００２２】
したがって、例えば、図６に示すように、ブラシ混合部３０の先端３０aがまつ毛８０に直接接触し、ブラシ混合部３０を濡らしているマスカラ液の塗布液９０はまつ毛８０に塗布される。このとき、ブラシ混合部３０の斜め峰状の上を滑るようにこすられて塗布液９０の余分液を斜め峰状に転写する程度の落下となり、塗布液９０の多くはまつ毛８０に残り、この残り塗布液９０が多いためにまつ毛８０がマスカラ液の塗布液９０によって集束される結果となる。
【００２３】
また、ブラシ混合部３０とブラシ混合部３０の間の溝３１の塗布液９０も、まつ毛８０に直接接触するときにブラシ混合部３０に流れ込み、このブラシ混合部３０を濡らしている塗布液９０とともにそのまままつ毛８０に転移される。このため、液塗布具１は、塗布量の補充に必要となるまで多量の塗布液９０を塗布対象毛に塗布できる。
[第２の実施の形態]
この第２の実施の形態の液塗布具１を、図７に基づいて説明する。この実施の形態の液塗布具１は、第１の実施の形態の液塗布具１と同じ構成は説明を省略する。この実施の形態は２条スパイラルであり、一方スパイラルにあるブラシ毛材３aと他方スパイラルにあるブラシ毛材3bが同じ長さで、かつ先端を交差させるように互いに対向させたブラシ混合部３０を有する。
【００２４】
この第２の実施の形態の液塗布具１の製造を、図８に基づいて説明する。この実施の形態の液塗布具１を製造するには、図８(a),(b)に示すように、所定の長さに裁断した同じ長さの多数のブラシ毛材３を、毛先をおおむね揃えた状態で並列に整列させ、ブラシ毛の長さのほぼ中央部を芯材２の保持芯部２a,2bの間に通し、保持芯部２a,2bに対して多数のブラシ毛材３を所定角度θ１傾斜させて挟持し、図２(a),(b)に示す実施の形態と同様に配置する。
【００２５】
そして、図８（c）に示すように、芯材２の保持芯部２a,2ｂの両端部もって、例えば左方向に所定回数回転させて捩り合わせ、図２（c）に示す実施の形態と同様に、芯材２の保持芯部２a,2ｂより右側に位置する部分が上向きの一方スパイラルにあるブラシ毛材3aを形成し、芯材２の保持芯部２a,2ｂより左側に位置する部分が下向きの他方スパイラルにあるブラシ毛材3ｂを形成する。
【００２６】
このブラシ毛材３は、芯材２の保持芯部２a,2ｂより右側に位置する部分と、左側に位置する部分が同じ長さであるが、一方スパイラルにあるブラシ毛材３aと他方スパイラルにあるブラシ毛材3bの先端が交差させるように互いに対向させたブラシ混合部３０を形成している。
【００２７】
この一方スパイラルにあるブラシ毛材３aと他方スパイラルにあるブラシ毛材3bの先端が交差するような長さに予め形成したブラシ毛材３を用いても良いが、長いブラシ毛材３を用いてブラシ混合部３０を形成して毛先を剪定して所要の形状に外形を整えるようにしてもよい。
【００２８】
この第２の実施の形態の液塗布具１の使用を、図９及び図１０に基づいて説明する。この実施の形態の液塗布具１を、マスカラ用ブラシとして使用する場合には、図２０に示すように塗布液容器から液塗布具を引き出すときに、図９に示すように、塗布液９０をブラシ混合部３０の先端30aまで多量に保持できる。ブラシ混合部３０の交差位置は、ブラシ外周寄りとなっているが、交差位置はブラシ内周寄りとしてもよい。交差位置をブラシ外周寄りとすると先端30aをさらに長くし、またブラシ内周寄りとすると低い位置で交差させることになり、先端30aは交錯位置よりブラシ外周寄りになる。
【００２９】
この時のブラシ混合部３０の交差位置は、中心の芯材２の保持芯部２a,2ｂとブラシ混合部３０の先端30aの中程か中心寄りに加工したときに、ブラシ混合部３０の先端30aの外周はブラシ混合部３０と混合部３０の間の溝３１と、ブラシ混合部３０の先端30aの毛交錯上Ｖ溝３２とが共有されることになり、液塗布具１のしごき落後は、塗布液９０が両端に溜まっている現象となる。
【００３０】
したがって、例えば、図１０に示すように、ブラシ混合部３０の先端30aがまつ毛８０に直接接触し、ブラシ混合部３０を濡らしているマスカラ液の塗布液９０はそのまままつ毛８０に転移される。また、ブラシ混合部３０の先端３０aまで塗布液９０が保持されており、このブラシ混合部３０を濡らしている塗布液９０とともに、ブラシ混合部３０と混合部３０の間の溝３１と、ブラシ混合部３０の先端30aの毛交錯上Ｖ溝３２とが共有され、両端に溜まっている塗布液９０がそのまままつ毛８０に転移される。このため、液塗布具１は、塗布量の補充に必要となるまで多量の塗布液９０を塗布対象毛に塗布できる。
[第３の実施の形態]
この第３の実施の形態の液塗布具１を、図１１に基づいて説明する。この実施の形態の液塗布具１は、第１の実施の形態の液塗布具１と同じ構成は説明を省略する。この実施の形態は、2条スパイラルであり、一方スパイラルにあるブラシ毛材３aと他方スパイラルにあるブラシ毛材3bが異なる長さで、かつ近接するように互いに対向させたブラシ混合部30を有する。この実施の形態の液塗布具１は、一方スパイラルにあるブラシ毛材３aの長さより他方スパイラルにあるブラシ毛材3bの長さを短く設定しており、この実施の形態ではブラシ混合部30が大小の皿状に形成されている。
【００３１】
この第３の実施の形態の液塗布具１の製造を、図１２に基づいて説明する。この実施の形態の液塗布具１を製造するには、図１２(a),(b)に示すように、所定の長さに裁断した同じ長さの多数のブラシ毛材３を、毛先をおおむね揃えた状態で並列に整列させ、ブラシ毛の長さのほぼ中央部を芯材２の保持芯部２a,2bの間に通し、保持芯部２a,2bに対して多数のブラシ毛材３を所定角度θ１傾斜させて挟持するが、図１２（a）において芯材２の保持芯部２a,2ｂより右側に位置する部分が長く上向きの一方スパイラルにあるブラシ毛材3aを形成し、芯材２の保持芯部２a,2ｂより左側に位置する部分が短く下向きの他方スパイラルにあるブラシ毛材３ｂを形成することになる。
【００３２】
そして、図１２（c）に示すように、芯材２の保持芯部２a,2ｂの両端部もって、例えば左方向に所定回数回転させて捩り合わせ、図２（c）に示す実施の形態と同様に、芯材２の保持芯部２a,２ｂより右側に位置する部分が上向きの一方スパイラルにあるブラシ毛材3aを形成し、芯材２の保持芯部２a,２ｂより左側に位置する部分が下向きの他方スパイラルにあるブラシ毛材3ｂを形成する。
【００３３】
このブラシ毛材３は、芯材２の保持芯部２a,２ｂより右側に位置する部分より、左側に位置する部分が短い長さであるため、一方スパイラルにあるブラシ毛材３aが上向きの大きな皿状に形成され、他方スパイラルにあるブラシ毛材3bが下向きの小さな皿状に形成され、互いに対向させたブラシ混合部３０を形成している。
【００３４】
芯材２の保持芯部２a,２ｂより右側に位置する部分を長く、左側に位置する部分を右側に位置する部分より短くしているが、逆に長くしても良く、さらに同じ長さにしてブラシ混合部３０を形成して毛先を剪定して所要の形状に外形を整えるようにしてもよい。
【００３５】
この第３の実施の形態の液塗布具１の使用を、図１３及び図１４に基づいて説明する。この実施の形態の液塗布具１を、マスカラ用ブラシとして使用する場合には、図２０に示すように塗布液容器から液塗布具を引き出すときに、図１３に示すように、塗布液をブラシ混合部３０の大小の皿状の先端３０aまで多量に保持できる。すなわち、2条スパイラルの一方スパイラルを短い毛にすると、液塗布具１のしごき落後はマスカラ液の塗布液９０がこの短い一方スパイラルにあるブラシ毛材３bの上面にも残留することになって溝３１の幅が例えば略２倍になることから、更に上の液残留となってボリウムがあるマスカラ液の塗布が可能となる。
【００３６】
したがって、例えば、図１４に示すように、ブラシ混合部３０の先端３０aがまつ毛８０に直接接触し、ブラシ混合部３０を濡らしているマスカラ液の塗布液９０はそのまままつ毛８０に転移される。このとき、ブラシ混合部３０の先端３０aまで塗布液９０が保持されており、さらに塗布液９０が短い一方スパイラルにあるブラシ毛材３bの上面にも残留することになって溝３１の幅が例えば略２倍になることから、更に上の液残留となってボリウムがあるマスカラ液の塗布ができる。したがって、このため、液塗布具１は、塗布量の補充に必要となるまで多量の塗布液を塗布対象毛に塗布できる。
【００３７】
第１の実施の形態乃至第３の実施の形態において、芯材２の保持芯部は２本の場合に限定されず、線材を折り曲げて形成した保持芯部を２本のものを、図１５（a）及び図１６に示すように、２本用いたものでもよく、図１５(a)ではブラシ毛材３を２箇所に配置し、図１６ではブラシ毛材３を４箇所に配置し、所定回数回転させて捩り合わせることで、４条スパイラルが形成される。また、図１５（ｂ）に示すように、別々の保持芯部を３本用いたものでもよく、２本の間にブラシ毛材３を配置し、所定回数回転させて捩り合わせることで、３条スパイラルが形成される。また、線材を折り曲げて形成した保持芯部を２本のものを、２本用い、その中心に１本線材を加えて製造を安定させても良い。図１７では図１５と同様に２本用いているが、その中心に１本線材２cを加えて製造し、図１８では図１６と同様に２本用いているが、その中心に１本線材２cを加えて製造している。また、折り曲げた線材を用いないで直線の線材を２本、３本、４本、５本、６本・・・合わせでもよい。
【００３８】
また、第１の実施の形態乃至第３の実施の形態において、図１９に示すように、ブラシ毛材３は、断面が丸太（図１９（a））、丸細い（図１９（ｂ））、中空（図１９（ｃ））、楕円（図１９（ｄ））、三角（図１９（e））、井桁（図１９（ｆ））、星型（図１９（ｇ））などのものでもよく、さらにブラシ毛材３自体が直線状に限らす波糸（図１９（ｈ））等のものを用いても良く、これらを混在させて用いても良い。例えば、図１５、図１７では２箇所のブラシ毛材３を別々の種類のものを用い、図１６、図１８では４箇所のブラシ毛材３をそれぞれ別々の種類のものを用いてもよい。
【産業上の利用可能性】
【００３９】
この発明は、特にマスカラブラシや毛染め用ブラシのように塗布対象毛にマスカラや毛染め液などの塗布液を塗布する場合に適用して好適な液塗布具に適用可能であり、ブラシ毛材に塗布液の溜まりを残すことで、塗布対象毛に対して十分に多量の塗布液を塗布できる。
【図面の簡単な説明】
【００４０】
【図１】第１の実施の形態の液塗布具の側面図である。
【図２】第１の実施の形態の液塗布具の製造を説明する図である。
【図３】第１の実施の形態の直線状の液塗布具を説明する図である。
【図４】第１の実施の形態の曲線状の液塗布具を説明する図である。
【図５】第１の実施の形態の液塗布具の使用を説明する図である。
【図６】第１の実施の形態の液塗布具の塗布を説明する図である。
【図７】第２の実施の形態の液塗布具の側面図である。
【図８】第２の実施の形態の液塗布具の製造を説明する図である。
【図９】第２の実施の形態の液塗布具の使用を説明する図である。
【図１０】第２の実施の形態の液塗布具の塗布を説明する図である。
【図１１】第３の実施の形態の液塗布具の側面図である。
【図１２】第３の実施の形態の液塗布具の製造を説明する図である。
【図１３】第３の実施の形態の液塗布具の使用を説明する図である。
【図１４】第２の実施の形態の液塗布具の塗布を説明する図である。
【図１５】ブラシ毛材を２箇所に配置した実施の形態を示す図である。
【図１６】ブラシ毛材を４箇所に配置した実施の形態を示す図である。
【図１７】ブラシ毛材を２箇所に配置した他の実施の形態を示す図である。
【図１８】ブラシ毛材を４箇所に配置した他の実施の形態を示す図である。
【図１９】ブラシ毛材の形態を示す図である。
【図２０】従来の液塗布具の使用を説明する図である。
【符号の説明】
【００４１】
１  液塗布具
２  芯材
３  ブラシ毛材
３a  一方スパイラルにあるブラシ毛材
３b   他方スパイラルにあるブラシ毛材
３０  ブラシ混合部
３０a  先端
３１  溝
【図１】
2008295778.tif 000003
【図２】
2008295778.tif 000004
【図３】
2008295778.tif 000005
【図４】
2008295778.tif 000006
【図５】
2008295778.tif 000007
【図６】
2008295778.tif 000008
【図７】
2008295778.tif 000009
【図８】
2008295778.tif 000010
【図９】
2008295778.tif 000011
【図１０】
2008295778.tif 000012
【図１１】
2008295778.tif 000013
【図１２】
2008295778.tif 000014
【図１３】
2008295778.tif 000015
【図１４】
2008295778.tif 000016
【図１５】
2008295778.tif 000017
【図１６】
2008295778.tif 000018
【図１７】
2008295778.tif 000019
【図１８】
2008295778.tif 000020
【図１９】
2008295778.tif 000021
【図２０】
2008295778.tif 000022